(57)【要約】      （修正有）【課題】樹脂材料から成る機器筐体の内部に液晶表示装置を収容設置し、機器筐体に液晶表示装置の表示画面に臨む視認用開口を形成するとともに、視認用開口を覆う表示画面保護カバーを設置して成る電子機器を対象とし、外観の小型化を達成しつつ液晶表示装置の損傷を未然に防止することを可能とした、電子機器の液晶表示装置保護構造を提供する。【解決手段】機器筐体を構成する樹脂材料より機械的強度の大きい材料から成り、かつ視認用開口の周縁部に倣った枠形状を呈する補強フレーム１００を、視認用開口の周縁部に倣って機器筐体と一体に固定設置するとともに、表示画面保護カバー９を補強フレーム１００に設置している。【選択図】図２
2006011163.tif 000002
【特許請求の範囲】
【請求項１】
樹脂材料から成る機器筐体の内部に液晶表示装置を収容設置し、前記機器筐体に前記液晶表示装置の表示画面に臨む視認用開口を形成するとともに、前記視認用開口を覆う表示画面保護カバーを設置して成る電子機器の液晶表示装置保護構造であって、
前記機器筐体を構成する樹脂材料より機械的強度の大きい材料から成り、かつ前記視認用開口の周縁部に倣った枠形状を呈する補強フレームを、前記視認用開口の周縁部に倣って前記機器筐体と一体に固定設置するとともに、前記表示画面保護カバーを前記補強フレームに設置して成ることを特徴とする電子機器の液晶表示装置保護構造。
【請求項２】
前記補強フレームは、前記液晶表示装置の表示画面に倣って展開するとともに前記表示画面を露呈させる開口を有する正面板と、該正面板の外周縁部から前記正面板の板厚方向に展開して前記液晶表示装置の全周を囲う側板とを備えた箱形状を呈して成ることを特徴とする請求項１記載の電子機器の液晶表示装置保護構造。
【請求項３】
前記補強フレームは、前記正面板および隣合う前記側板から構成されたコーナー部を四隅に有するとともに、前記コーナー部を構成する前記正面板および隣合う前記側板が互いに繋がっていることを特徴とする請求項２記載の電子機器の液晶表示装置保護構造。
【請求項４】
前記機器筐体に前記補強フレームをインサート成形することで、前記補強フレームを前記機器筐体と一体に固定設置したことを特徴とする請求項１記載の電子機器の液晶表示装置保護構造。
【請求項５】
前記機器筐体に設けた爪に前記補強フレームを係止することで、前記補強フレームを前記機器筐体と一体に固定設置したことを特徴とする請求項１記載の電子機器の液晶表示装置保護構造。
【請求項６】
前記機器筐体に前記補強フレームを溶着することで、前記補強フレームを前記機器筐体と一体に固定設置したことを特徴とする請求項１記載の電子機器の液晶表示装置保護構造。
【請求項７】
ネジを用いて前記機器筐体に前記補強フレームを固定することで、前記補強フレームを前記機器筐体と一体に固定設置したことを特徴とする請求項１記載の電子機器の液晶表示装置保護構造。
【請求項８】
前記補強フレームに設けたフックを前記機器筐体に係止することで、前記補強フレームを前記機器筐体と一体に固定設置したことを特徴とする請求項１記載の電子機器の液晶表示装置保護構造。
【発明の詳細な説明】
【技術分野】
【０００１】
本発明は、電子機器の液晶表示装置保護構造に関するものであり、詳しくは樹脂材料から成る機器筐体の内部に液晶表示装置を収容設置し、機器筐体に液晶表示装置の表示画面に臨む視認用開口を形成するとともに、視認用開口を覆う表示画面保護カバーを設置して成る電子機器を対象とした、液晶表示装置の損傷を抑えるための保護構造に関するものである。
【背景技術】
【０００２】
例えば、電子機器の一例である携帯電話機においては、各種情報を文字や画像によって使用者に通知するための液晶表示装置が搭載されており、図１９および図２０に示した折畳み式の携帯電話機Ａにおいては、各種の操作部を有する下筐体Ｂにヒンジ部Ｃを介して連結された上筐体Ｄの内部に液晶表示装置Ｅが収容設置されている。
【０００３】
上記液晶表示装置Ｅは、上内ケースＤａと上外ケースＤｂとから成る上筐体Ｄ内に設置された回路基板Ｆ上に、ホルダＨを介してバックライト装置Ｇとともに設置されており、一方、上内ケースＤａには、液晶表示装置Ｅの表示画面Ｅｆに臨む視認用開口Ｄｏが形成され、この視認用開口Ｄｏには透光材料から成る表示画面保護カバーＩが取付けられている。
【０００４】
ところで、一般的な電子機器における機器筐体は、軽量化等を目的として樹脂材料から製造されており、上述した携帯電話機Ａの如く上内ケースＤａに大きな視認用開口Ｄｏを形成した構成では、表示画面保護カバーＩが外部から強く押された場合に、上内ケースＤａが比較的容易に撓み変形することとなり、表示画面保護カバーＩが当接して液晶表示装置Ｅに割れ等の損傷を招く虞れがあった。
【０００５】
このような問題を回避するには、強度を高めるために上内ケースＤａを含めた上筐体Ｄの肉厚を大きく設定したり、あるいは液晶表示装置Ｅの表示画面Ｅｆと表示画面保護カバーＩとのクリアランスを大きく設定したりする構成が考えられるものの、何れの構成においても携帯電話機Ａの不用意な大型化を招いてしまう不都合を免れない。
【０００６】
一方、樹脂材料から成る機器筐体を金属材料から成る補強体と一体に成形することで、上記機器筐体の機械的強度を増大させる構成が提供されている（例えば、特許文献１参照）。
【０００７】
すなわち、図２１に示す如く、回路基板Ｆ′にホルダＨ′を介して搭載された液晶表示装置Ｅ′を、上外ケースＤｂ′とによって収容する上内ケースＤａ′は、視認用開口Ｄｏ′に表示画面保護カバーＩ′が取付けられ、かつ基端側に一対のヒンジ部Ｃ′が設けられており、さらに上記上内ケースＤａ′は、射出成型時において図２２に示す補強体Ｊと一体に成形されている。
【０００８】
上記補強体Ｊは、上内ケースＤａ′の視認用開口Ｄｏ′と対応した開口Ｊｏの形成された天板Ｊａと、該天板Ｊａの左右縁部から起立する一対の側板Ｊｂとを有しており、さらに天板Ｊａの基端部には、円筒状を呈する一対の軸受部Ｊｃが形成されている。
【０００９】
上記構成によれば、補強体Ｊと一体形成したことで上内ケースＤａ′の機械的強度が格段に向上し、表示画面保護カバーＩ′が外部から強く押された場合においても、上内ケースＤａ′が容易に撓み変形することがないので、表示画面保護カバーＩ′との当接に起因する液晶表示装置Ｅ′の損傷を未然に防止することが可能となる。
【特許文献１】特開２００３−２５８４４６号公報
【発明の開示】
【発明が解決しようとする課題】
【００１０】
ところで、上述した如き構成においては、上内ケースＤａ′の機械的強度が向上するものの、図２３に示す如く上内ケースのＤａ′の内部に保筐体Ｊが占位しているため、外観形状の大型化を招いてしまう不都合を免れ得ない。
【００１１】
さらに、上述した如き構成においては、天板Ｊａと左右の側板Ｊｂと一対の軸受部Ｊｃとを有していることから、上記補強体Ｊは上内ケースＤａ′のほぼ全域に亘って上内ケースＤａ′と一体にインサート成形され、もって上内ケースＤａ′における全体の剛性が増大することなり、延いては上内ケースＤａ′を含む上筐体の剛性が増大する。
【００１２】
このため、表示画面保護カバーＩ′が外部から押された場合には、液晶表示装置Ｅ′の損傷を未然に防止することができる反面、例えば落下等によって上筐体に大きな衝撃力が作用した場合には、上述の如く上筐体の剛性が高く柔軟性に欠けているため、上記衝撃力が上筐体に吸収されて減衰することなく、液晶表示装置Ｅ′に対して直接的に作用することとなり、これによってガラス基板を主体とする液晶表示装置Ｅ′および機器筐体の樹脂材料部分自体に割れ等の損傷を招く虞れがあった。
【００１３】
本発明の目的は上記実状に鑑みて、外観の可及的な小型化を達成しつつ液晶表示装置の損傷を未然に防止し得る、電子機器の液晶表示装置保護構造を提供することにある。
【課題を解決するための手段】
【００１４】
上記目的を達成するべく、請求項１の発明に関わる電子機器の液晶表示装置保護構造は、樹脂材料から成る機器筐体の内部に液晶表示装置を収容設置し、機器筐体に液晶表示装置の表示画面に臨む視認用開口を形成するとともに、視認用開口を覆う表示画面保護カバーを設置して成る電子機器の液晶表示装置保護構造であって、機器筐体を構成する樹脂材料より機械的強度の大きい材料から成り、かつ視認用開口の周縁部に倣った枠形状を呈する補強フレームを、視認用開口の周縁部に倣って機器筐体と一体に固定設置するとともに、表示画面保護カバーを補強フレームに設置して成ることを特徴としている。
【００１５】
請求項２の発明に関わる電子機器の液晶表示装置保護構造は、請求項１の発明に関わる電子機器の液晶表示装置保護構造において、補強フレームが、液晶表示装置の表示画面に倣って展開するとともに上記表示画面を露呈させる開口を有する正面板と、該正面板の外周縁部から正面板の板厚方向に展開して液晶表示装置の全周を囲う側板とを備えた箱形状を呈して成ることを特徴としている。
【００１６】
請求項３の発明に関わる電子機器の液晶表示装置保護構造は、請求項２の発明に関わる電子機器の液晶表示装置保護構造において、補強フレームが、正面板および隣合う側板から構成されたコーナー部を四隅に有し、かつコーナー部を構成する正面板および隣合う側板が互いに繋がっていることを特徴としている。
【００１７】
請求項４の発明に関わる電子機器の液晶表示装置保護構造は、請求項１の発明に関わる電子機器の液晶表示装置保護構造において、機器筐体に補強フレームをインサート成形することで、補強フレームを機器筐体と一体に固定設置したことを特徴としている。
【００１８】
請求項５の発明に関わる電子機器の液晶表示装置保護構造は、請求項１の発明に関わる電子機器の液晶表示装置保護構造において、機器筐体に設けた爪に補強フレームを係止することで、補強フレームを機器筐体と一体に固定設置したことを特徴としている。
【００１９】
請求項６の発明に関わる電子機器の液晶表示装置保護構造は、請求項１の発明に関わる電子機器の液晶表示装置保護構造において、機器筐体に補強フレームを溶着することで、補強フレームを機器筐体と一体に固定設置したことを特徴としている。
【００２０】
請求項７の発明に関わる電子機器の液晶表示装置保護構造は、請求項１の発明に関わる電子機器の液晶表示装置保護構造において、ネジを用いて機器筐体に補強フレームを固定することで、補強フレームを機器筐体と一体に固定設置したことを特徴としている。
【００２１】
請求項８の発明に関わる電子機器の液晶表示装置保護構造は、請求項１の発明に関わる電子機器の液晶表示装置保護構造において、補強フレームに設けたフックを機器筐体に係止することで、補強フレームを機器筐体と一体に固定設置したことを特徴としている。
【発明の効果】
【００２２】
請求項１の発明に関わる電子機器の液晶表示装置保護構造によれば、枠形状を呈する補強フレームを、機器筐体に対して一体に固定設置したことにより、視認用開口の周囲における剛性が格段に向上し、表示画面保護カバーが外部から押された場合においても、機器筐体における視認用開口の周囲が容易に撓み変形しないので、機器筐体の肉厚を大きく設定する等の構成による外観の大型化を招くことなく、液晶表示装置の損傷を未然に防止することができる。
【００２３】
また、請求項１の発明に関わる電子機器の液晶表示装置保護構造によれば、枠形状を呈する補強フレームを固定設置することで、剛性が格段に向上した機器筐体における視認用開口の周囲以外は、機器筐体を構成している樹脂材料の柔軟性を残したままであるため、例えば落下等によって機器筐体に大きな衝撃力が作用した場合でも、この衝撃力は樹脂材料から成る機器筐体の柔軟性によって減衰され、液晶表示装置に対して直接的に作用することはなく、もって液晶表示装置の損傷を未然に防止することができる。
【００２４】
このように、請求項１の発明に関わる電子機器の液晶表示装置保護構造においては、表示画面保護カバーが外部から押された場合や、落下等によって衝撃力が加わった状況においても、外観の可及的な小型化を達成しつつ、液晶表示装置の損傷を未然に防止することが可能となる。
【００２５】
請求項２の発明に関わる電子機器の液晶表示装置保護構造によれば、請求項１の発明に関わる電子機器の液晶表示装置保護構造と同様、外観の可及的な小型化を達成しつつ、液晶表示装置の損傷を未然に防止し得ることと併せ、補強フレームを正面板と側板とを備えた箱形状としたことにより、上記補強フレーム自身の剛性が向上するととともに、上記補強フレームを一体に固定設置した機器筐体の視認用開口周辺における剛性が向上し、もって表示画面保護カバーが外部から押された際における、液晶表示装置の損傷を防止する効果が大幅に向上することとなる。
【００２６】
請求項３の発明に関わる電子機器の液晶表示装置保護構造によれば、四隅のコーナー部を構成する正面板および隣合う側板が互いに繋げたことにより、上記補強フレーム自身の剛性が大幅に向上するととともに、上記補強フレームを一体に固定設置した機器筐体の視認用開口周辺における剛性が大幅に向上し、もって表示画面保護カバーが外部から押された際における、液晶表示装置の損傷を防止する効果が大幅に向上することとなる。
【００２７】
請求項４の発明に関わる電子機器の液晶表示装置保護構造によれば、インサート成形で補強フレームを機器筐体と一体に固定設置したことにより、機器筐体に対して補強フレームを極めて容易に固定設置することが可能となる。
【００２８】
請求項５の発明に関わる電子機器の液晶表示装置保護構造によれば、機器筐体に設けた爪に補強フレームを係止することで、補強フレームを機器筐体と一体に固定設置したことにより、機器筐体に対して補強フレームを極めて容易に固定設置することが可能となる。
【００２９】
請求項６の発明に関わる電子機器の液晶表示装置保護構造によれば、溶着で補強フレームを機器筐体と一体に固定設置したことにより、機器筐体に対して補強フレームを極めて容易に固定設置することが可能となる。
【００３０】
請求項７の発明に関わる電子機器の液晶表示装置保護構造によれば、ネジを用いて補強フレームを機器筐体と一体に固定設置したことにより、機器筐体に対して補強フレームを極めて容易に固定設置することが可能となる。
【００３１】
請求項８の発明に関わる電子機器の液晶表示装置保護構造によれば、補強フレームに設けたフックを機器筐体に係止することで、補強フレームを機器筐体と一体に固定設置したことにより、機器筐体に対して補強フレームを極めて容易に固定設置することが可能となる。
【発明を実施するための最良の形態】
【００３２】
以下、実施例を示す図面に基づいて、本発明を詳細に説明する。  
図１〜図６は、電子機器の一態様である折畳み式の携帯電話機に、本発明に関わる液晶表示装置保護構造を適用した第１の実施例を示しており、この携帯電話機１は、各種の操作部を備えた下筐体２と、後述する液晶表示装置７を収容設置した上筐体３とを具備し、これら下筐体２と上筐体３とはヒンジ部４を介して開閉自在に連結されている。
【００３３】
下筐体２とともに機器筐体を構成する上筐体３は、互いに組み付けられる上内ケース３Ｉと上外ケース３Ｏとを具備しており、これら上内ケース３Ｉおよび上外ケース３Ｏは、ともに樹脂材料を射出成形することによって所期の形状に製造されている。
【００３４】
図２および図３に示す如く、上筐体３の内部には回路基板５が収容設置されており、この回路基板５における実装面には、液晶表示ユニットを構成するバックライト装置６および液晶表示装置７が、ホルダ８を介して所定の位置に実装されている。
【００３５】
一方、上筐体３における上内ケース３Ｉには、上記液晶表示装置７の表示画面７ｆに臨む視認用開口３ｏが形成されており、また上記上内ケース３Ｉの前面には、透明アクリル樹脂等の透光材料から成る表示画面保護カバー９が、両面接着テープ(図示せず)を用いて取付けられ、上内ケース３Ｉにおける視認用開口３ｏは上記表示画面保護カバー９によって覆われている。
【００３６】
さらに、上筐体３における上内ケース３Ｉには、視認用開口３ｏの周縁部に倣った枠形状を呈する補強フレーム１００が、上記上内ケース３Ｉに対して一体に固定設置されており、この補強フレーム１００は、上内ケース３Ｉ等を構成する樹脂材料よりも機械的強度の大きい材料、具体的にはステンレス鋼の板金薄板をプレス加工(絞り成形)することによって形成されている。
【００３７】
図４および図５に示す如く、上記補強フレーム１００は、液晶表示装置７の表示画面７ｆに倣って展開する正面板１０１を有するとともに、この正面板１０１の外周縁部から板厚方向、具体的には上内ケース３Ｉの内方へ向けて展開し、かつ正面板１０１の全周に亘って形成されることにより、上記液晶表示装置７の周囲を取り囲む四方の側板１０２を有している。
【００３８】
また、上記補強フレーム１００は、その正面板１０１に液晶表示装置７の表示画面７ｆを露呈させるための開口１０１ｏが形成されているとともに、四方の側板１０２の縁部には全周に亘ってリブ１０２ｒが形成されている。
【００３９】
上述の如く、開口１０１ｏを有する正面板１０１と四方の側板１０２とを具備して成る補強フレーム１００は、視認用開口３ｏの周縁部に倣った枠形状を呈するとともに、正面板１０１および隣合う側板１０２，１０２から構成されたコーナー部を四隅に有する箱形状を呈している。
【００４０】
さらに、上述した補強フレーム１００は、上内ケース３Ｉを射出成形する際、インサート成型によって上内ケース３Ｉと一体に固定設置されている。  
図２および図６に示す如く、上内ケース３Ｉに固定設置された補強フレーム１００は、その正面板１０１が上内ケース３Ｉの視認用開口３ｏから露呈しており、この正面板１０１(補強フレーム１００)には、図２および図３に示す如く、両面接着テープＴを用いて表示画面保護カバー９が取付けられている。
【００４１】
上述した如き液晶表示装置保護構造を採用した携帯電話機１では、枠形状を呈する補強フレーム１０１を上内ケース３Ｉと一体に固定設置したことで、視認用開口３ｏの周囲における剛性が格段に向上することとなり、表示画面保護カバー９が外部から押された場合においても、上内ケース３Ｉにおける視認用開口３ｏの周囲が容易に撓み変形することはない。
【００４２】
また、表示画面保護カバー９を補強フレーム１００の正面板１０１に取付けたことで、表示画面保護カバー９が外部から押された場合においても、機械的強度の大きな補強フレーム１００が外力を確実に受け止めるため、上内ケース３Ｉに不用意な変形を生じることがない。
【００４３】
これによって、強度を高めるべく上内ケース３Ｉを含めた上筐体３の肉厚を大きく設定したり、液晶表示装置７の表示画面７ｆと表示画面保護カバー９とのクリアランスを大きく設定したりすることなく、言い換えれば携帯電話機１の不用意な大型化を招くことなく、液晶表示装置７の損傷を未然に防止することができる。
【００４４】
また、上述した如き液晶表示装置保護構造を採用した携帯電話機１では、枠形状を呈する補強フレーム１００を固定設置することで、剛性が格段に向上した上内ケース３Ｉにおける視認用開口３ｏの周囲以外は、上筐体３を構成している樹脂材料の柔軟性を残したままであるため、例えば落下等によって上筐体３に大きな衝撃力が作用した場合でも、この衝撃力は樹脂材料から成る上筐体３の柔軟性によって減衰され、液晶表示装置７に対して直接的に作用することはなく、もって液晶表示装置７および機器筐体の樹脂材料部分自体の損傷を未然に防止することができる。
【００４５】
さらに、上述した如き液晶表示装置保護構造を採用した携帯電話機１では、補強フレーム１００を正面板１０１と四方の側板１０２とを備えた箱形状、詳しくは正面板１０１および隣合う側板１０２，１０２から構成されたコーナー部を四隅に有する箱形状としたことで、補強フレーム１００自身の剛性が格段に大きなものとなり、この補強フレーム１００を固定設置した上内ケース３Ｉの剛性が大幅に向上するため、表示画面保護カバー９が外部から押された際の液晶表示装置７の損傷が極めて効果的に防止される。
【００４６】
ここで、図６において示す如く、上述した構成の携帯電話機１を組立てる際には、補強フレーム１００を固定設置した上内ケース３Ｉに表示画面保護カバー９を取付け、これら上内ケース３Ｉと補強フレーム１００と表示画面保護カバー９とをケースアセンブリとして１部品化しておき、液晶表示装置７を搭載した回路基板５をケースアセンブリ、詳しくは上内ケース３ＩにネジＳを用いて取り付けたのち、上内ケース３Ｉに上外ケース３Ｏを組み付けることとなる。
【００４７】
このように、上述した如き液晶表示装置保護構造を採用した携帯電話機１では、上内ケース３Ｉと補強フレーム１００と表示画面保護カバー９とを、ケースアセンブリとして１部品化しておくことで、組立て作業が極めて簡易なものとなり、もって生産効率の大幅な向上を達成することが可能となる。
【００４８】
図７〜図１２は、本発明に関わる電子機器の液晶表示装置保護構造を、電子機器の一態様である携帯電話機に適用した第２の実施例を示しており、この折畳み式の携帯電話機１０における上筐体(機器筐体)１３は、互いに組み付けられる上内ケース１３Ｉと上外ケース１３Ｏとを具備しており、これら上内ケース１３Ｉおよび上外ケース１３Ｏは、ともに樹脂材料を射出成形することによって所期の形状に製造されている。
【００４９】
図７〜図９に示す如く、上筐体１３の内部には回路基板１５が収容設置されており、この回路基板１５における実装面には、液晶表示ユニットを構成するバックライト装置１６および液晶表示装置１７が、ホルダ１８を介して所定の位置に実装されている。
【００５０】
一方、上筐体１３における上内ケース１３Ｉには、上記液晶表示装置１７の表示画面１７ｆに臨む視認用開口１３ｏが形成されており、また上記上内ケース１３Ｉの前面には、透明アクリル樹脂等の透光材料から成る表示画面保護カバー１９が、両面接着テープＴ(図９参照)を用いて取付けられ、上内ケース１３Ｉにおける視認用開口１３ｏは上記表示画面保護カバー１９によって覆われている。
【００５１】
さらに、上筐体１３における上内ケース１３Ｉには、視認用開口１３ｏの周縁部に倣った枠形状を呈する補強フレーム１１０が、上記上内ケース１３Ｉに対して一体に固定設置されており、この補強フレーム１１０は、上内ケース１３Ｉ等を構成する樹脂材料よりも機械的強度の大きい材料、具体的にはステンレス鋼の板金薄板をプレス加工(絞り成形)することによって形成されている。
【００５２】
図１０および図１１に示す如く、上記補強フレーム１１０は、液晶表示装置１７の表示画面１７ｆに倣って展開する正面板１１１を有するとともに、この正面板１１１の外周縁部から板厚方向、具体的には上内ケース１３Ｉの内方へ向けて展開し、かつ正面板１１１の全周に亘って形成されることにより、上記液晶表示装置１７の周囲を取り囲む四方の側板１１２を有している。
【００５３】
また、上記補強フレーム１１０は、その正面板１１１に液晶表示装置１７の表示画面１７ｆを露呈させるための開口１１１ｏが形成されているとともに、四方の側板１１２の縁部には全周に亘ってリブ１１２ｒが形成されており、さらに長手方向において対向する一対の側板１１２、１１２には、それぞれ取付孔１１３ｏを有するタブ１１３が２個ずつ(計４個)突出形成されている。
【００５４】
上述の如く、開口１１１ｏを有する正面板１１１と四方の側板１１２とを具備して成る補強フレーム１１０は、視認用開口１３ｏの周縁部に倣った枠形状を呈するとともに、正面板１１１および隣合う側板１１２，１１２から構成されたコーナー部を四隅に有する箱形状を呈している。
【００５５】
一方、図７、図９および図１０に示す如く、上内ケース１３Ｉの内部には、相対向する側壁の内部に４個の係止爪１３ｔが形成されているともに、前壁の内部には視認用開口１３ｏを挟んで４本の取付けピン１３ｐが突出形成されており、上記補強フレーム１１０のリブ１１２ｒを個々の係止爪１３ｔに係止させるとともに、個々のタブ１１３における取付孔１１３ｏに貫挿された取付けピン１３ｐの頭部を加熱かつ加圧により潰して溶着することで、上記補強フレーム１１０は上内ケース１３Ｉの所定位置において一体に固定設置されている。
【００５６】
図７〜図９、および図１２に示す如く、上内ケース１３Ｉに固定設置された補強フレーム１１０は、その正面板１１１が上内ケース１３Ｉの視認用開口１３ｏから露呈しており、この正面板１１１(補強フレーム１１０)には、両面接着テープＴを用いて表示画面保護カバー１９が取付けられている。
【００５７】
上述した如き液晶表示装置保護構造を採用した携帯電話機１０においても、先に詳述した第１の実施例における携帯電話機１と全く同様にして、表示画面保護カバー１９が外部から押された場合や、落下等によって衝撃力が加わった状況においても、外観の可及的な小型化を達成しつつ、液晶表示装置１７の損傷を未然に防止することが可能となる。
【００５８】
また、上述した構成の携帯電話機１０を組立てる際、図１０に示す如く補強フレーム１１０を固定設置した上内ケース１３Ｉに表示画面保護カバー１９を取付け、これら上内ケース１３Ｉと補強フレーム１１０と表示画面保護カバー１９とをケースアセンブリとして１部品化しておき、液晶表示装置１７を搭載した回路基板１５をケースアセンブリ、詳しくは上内ケース１３ＩにネジＳを用いて取り付けたのち、上内ケース１３Ｉに上外ケース１３Ｏを組み付けることによって、組立て作業が極めて簡易なものとなり、もって生産効率の大幅な向上を達成することができる。
【００５９】
図１３〜図１８は、本発明に関わる電子機器の液晶表示装置保護構造を、電子機器の一態様である携帯電話機に適用した第３の実施例を示しており、この折畳み式の携帯電話機２０における上筐体(機器筐体)２３は、互いに組み付けられる上内ケース２３Ｉと上外ケース２３Ｏとを具備しており、これら上内ケース２３Ｉおよび上外ケース２３Ｏは、ともに樹脂材料を射出成形することによって所期の形状に製造されている。
【００６０】
図１３〜図１５に示す如く、上筐体２３の内部には回路基板２５が収容設置されており、この回路基板２５における実装面には、液晶表示ユニットを構成するバックライト装置２６および液晶表示装置２７が、ホルダ２８を介して所定の位置に実装されている。
【００６１】
一方、上筐体２３における上内ケース２３Ｉには、上記液晶表示装置２７の表示画面２７ｆに臨む視認用開口２３ｏが形成されており、また上記上内ケース２３Ｉの前面には、透明アクリル樹脂等の透光材料から成る表示画面保護カバー２９が、両面接着テープＴ(図１５参照)を用いて取付けられ、上内ケース２３Ｉにおける視認用開口２３ｏは上記表示画面保護カバー２９によって覆われている。
【００６２】
さらに、上筐体２３における上内ケース２３Ｉには、視認用開口２３ｏの周縁部に倣った枠形状を呈する補強フレーム１２０が、上記上内ケース２３Ｉに対して一体に固定設置されており、この補強フレーム１２０は、上内ケース２３Ｉ等を構成する樹脂材料よりも機械的強度の大きい材料、具体的にはステンレス鋼の板金薄板をプレス加工(絞り成形)することによって形成されている。
【００６３】
図１６および図１７に示す如く、上記補強フレーム１２０は、液晶表示装置２７の表示画面２７ｆに倣って展開する正面板１２１を有するとともに、この正面板１２１の外周縁部から板厚方向、具体的には上内ケース２３Ｉの内方へ向けて展開し、かつ正面板１２１の全周に亘って形成されることにより、上記液晶表示装置２７の周囲を取り囲む四方の側板１２２を有している。
【００６４】
また、上記補強フレーム１２０は、その正面板１２１に液晶表示装置２７の表示画面２７ｆを露呈させるための開口１２１ｏが形成されているとともに、四方の側板１２２の縁部には全周に亘ってリブ１２２ｒが形成されている。
【００６５】
ここで、開口１２１ｏを有する正面板１２１と四方の側板１２２とを具備して成る補強フレーム１２０は、視認用開口２３ｏの周縁部に倣った枠形状を呈するとともに、正面板１２１および隣合う側板１２２，１２２から構成されたコーナー部を四隅に有する箱形状を呈している。
【００６６】
また、上記補強フレーム１２０の長手方向における一方の側板１２２には、それぞれに取付孔１２３ｏを有する２個のタブ１２３が突出形成されているとともに、上記補強フレーム１２０の長手方向における他方の側板１２２には、それぞれに取付孔１２４ｏとネジ孔１２４ｈとを有する２個のタブ１２４が突出形成されており、さらに上記補強フレーム１２０の幅方向において対向する一対の側板１２２、１２２には、それぞれ外部に向けてフック１２５が２個ずつ(計４個)突出形成されている。
【００６７】
一方、図１３、図１５および図１６に示す如く、上内ケース２３Ｉにおける相対向する側壁の内部には、それぞれ１個(計２個)の係止爪２３ｔと２個(計４個)のフック２３ｈとが形成されており、さらに上内ケース２３Ｉにおける前壁の内部には、視認用開口２３ｏを挟んで４本の取付けピン２３ｐが突出形成されている。
【００６８】
上記補強フレーム１２０は、上内ケース２３Ｉの係止爪２３ｔにリブ１２２ｒを係止させ、かつ上内ケース２３Ｉのフック２３ｈにフック１２５を係合させるとともに、タブ１２３の取付孔１２３ｏおよびタブ１２４の取付孔１２４ｏに貫挿された取付けピン２３ｐの頭部を加熱かつ加圧により潰して溶着することで、上内ケース２３Ｉの所定位置において一体に固定設置されている。
【００６９】
ここで、上内ケース２３Ｉのフック２３ｈに、補強フレーム１２０のフック１２５を係合させたことで、上記補強フレーム１２０に対して上内ケース２３Ｉの側壁が連結されることとなり、もって外力が作用した際に上内ケース２３Ｉの側壁が不用意に外方へ変形してしまうことを未然に防止できる。
【００７０】
また、図１５に示す如く、補強フレーム１２０におけるタブ１２４は、ネジ孔１２４ｈを貫通するネジＳによって、ホルダ２８の延設部２８ａ(図１５および図１８参照)と上内ケース２３Ｉとに共締めされており、これによって上内ケース２３Ｉや回路基板２５等の強度的に弱い部分が、補強フレーム１２０と連結されることによって効果的に補強されることとなる。
【００７１】
図１３〜図１５、および図１８に示す如く、上内ケース２３Ｉに固定設置された補強フレーム１２０は、その正面板１２１が上内ケース２３Ｉの視認用開口２３ｏから露呈しており、この正面板１２１(補強フレーム１２０)には、両面接着テープＴを用いて表示画面保護カバー２９が取付けられている。
【００７２】
上述した如き液晶表示装置保護構造を採用した携帯電話機２０においても、先に詳述した第１の実施例および第２の実施例と全く同様にして、表示画面保護カバー２９が外部から押された場合や、落下等によって衝撃力が加わった状況においても、外観の可及的な小型化を達成しつつ、液晶表示装置２７の損傷を未然に防止することが可能となる。
【００７３】
また、上述した構成の携帯電話機１０を組立てる際、図１８に示す如く補強フレーム１２０を固定設置した上内ケース２３Ｉに表示画面保護カバー２９を取付け、これら上内ケース２３Ｉと補強フレーム１２０と表示画面保護カバー２９とをケースアセンブリとして１部品化しておき、液晶表示装置２７を搭載した回路基板２５をケースアセンブリ、詳しくは上内ケース２３ＩにネジＳを用いて取り付けたのち、上内ケース２３Ｉに上外ケース２３Ｏを組み付けることによって、組立て作業が極めて簡易なものとなり、もって生産効率の大幅な向上を達成することができる。
【００７４】
なお、上述した各実施例においては、ステンレス鋼の薄板を絞り成形することによって補強フレームを形成しているが、上内ケース等を構成している樹脂材料よりも機械的強度の大きなものであれば、ステンレス鋼以外の適宜な金属材料を用いて補強フレームを形成することが可能であり、また、絞り成形以外の適宜な成型方法によって補強フレームを形成することも可能である。
【００７５】
ここで、樹脂材料よりも機械的強度の大きなものであれば、金属以外の適宜な材料を用いて補強フレームを形成することも可能であるが、金属材料を使用することが加工性やコスト面に鑑みて最も効果的であることは言うまでもない。
【００７６】
さらに、補強フレームを金属材料から構成することによって、液晶表示装置を取り囲むように構成された上記補強フレームをグランド(接地)へ落とすことで、静電気の侵入に起因する液晶表示装置の破壊を防ぐことも可能であり、また上記補強フレームをアンテナとして使用することも可能である。
【００７７】
また、上述した各実施例においては、上内ケースに補強フレームを一体に固定設置する構成として、インサート成形、溶着、係止爪およびネジを用いる構成を開示したが、例えば両面接着テープや接着剤等、実施例以外の適宜な手段を用いて、上内ケースに補強フレームを固定設置し得ることは言うまでもない。
【００７８】
また、補強フレームおよび上内ケースに対する表示画面保護カバーの設置手段においても、接着剤やネジ等、実施例に示した両面接着テープ以外の適宜な手段を採用することが可能である。
【００７９】
さらに、上述した実施例においては、本発明を電子機器の一態様である携帯電話機に適用した例を示したが、携帯電話機やＰＨＳ（パーソナル・ハンディホン・システム）等の通信機器、あるいは電子辞書やＰＤＡ（パーソナル・データ・アシスタンス）等の携帯情報端末に限らず、液晶表示装置を具備して成る様々な電子機器の液晶表示装置保護構造として、本発明が極めて有効に適用し得るものであることは言うまでもない。
【図面の簡単な説明】
【００８０】
【図１】本発明に関わる液晶表示装置保護構造を採用した電子機器の第１実施例を示す外観斜視図。
【図２】第１実施例の電子機器を示す横断面図。
【図３】第１実施例の電子機器を示す要部拡大断面図。
【図４】第１実施例の電子機器における上内ケースアセンブリを示す分解斜視図。
【図５】第１実施例の電子機器における補強フレームを示す外観斜視図。
【図６】第１実施例の電子機器を示す分解斜視図。
【図７】本発明に関わる液晶表示装置保護構造を採用した電子機器の第２実施例を示す横断面図。
【図８】第２実施例の電子機器を示す要部拡大断面図。
【図９】第２実施例の電子機器を示す縦断面図。
【図１０】第２実施例の電子機器における上内ケースアセンブリを示す分解斜視図。
【図１１】第２実施例の電子機器における補強フレームを示す外観斜視図。
【図１２】第２実施例の電子機器を示す分解斜視図。
【図１３】本発明に関わる液晶表示装置保護構造を採用した電子機器の第３実施例を示す横断面図。
【図１４】(ａ)および(ｂ)は、第３実施例の電子機器を示す要部拡大断面図。
【図１５】第３実施例の電子機器を示す縦断面図。
【図１６】第３実施例の電子機器における上内ケースアセンブリを示す分解斜視図。
【図１７】第３実施例の電子機器における補強フレームを示す外観斜視図。
【図１８】第３実施例の電子機器を示す分解斜視図。
【図１９】従来の電子機器における一例を示す外観斜視図。
【図２０】図１９の電子機器を示す概念的な横断面図。
【図２１】従来の他の電子機器を示す分解斜視図。
【図２２】図２１の電子機器における補強体を示す外観斜視図。
【図２３】図２１の電子機器を示す概念的な横断面図。
【符号の説明】
【００８１】
１、１０、２０…携帯電話機（電子機器）、
３、１３、２３…上筐体（機器筐体）、
３Ｉ、１３Ｉ、２３Ｉ…上内ケース、
３ｏ、１３ｏ、１３ｏ…視認用開口、
７、１７、２７…液晶表示装置、
９、１９、２９…表示面保護カバー。
１００、１１０、１２０…補強フレーム、
１０１、１１１、１２１…正面板、
１０１ｏ、１１１ｏ、１２１ｏ…開口、
１０２、１１２、１２２…側板。
【図１】
2006011163.tif 000003
【図２】
2006011163.tif 000004
【図３】
2006011163.tif 000005
【図４】
2006011163.tif 000006
【図５】
2006011163.tif 000007
【図６】
2006011163.tif 000008
【図７】
2006011163.tif 000009
【図８】
2006011163.tif 000010
【図９】
2006011163.tif 000011
【図１０】
2006011163.tif 000012
【図１１】
2006011163.tif 000013
【図１２】
2006011163.tif 000014
【図１３】
2006011163.tif 000015
【図１４】
2006011163.tif 000016
【図１５】
2006011163.tif 000017
【図１６】
2006011163.tif 000018
【図１７】
2006011163.tif 000019
【図１８】
2006011163.tif 000020
【図１９】
2006011163.tif 000021
【図２０】
2006011163.tif 000022
【図２１】
2006011163.tif 000023
【図２２】
2006011163.tif 000024
【図２３】
2006011163.tif 000025